(57)【特許請求の範囲】
【請求項１】
暗渠になった水路内を流れる水を除塵するために使用するバースクリーン装置であって、
間隔をあけて並べられた上下方向に伸びる複数本のスクリーンバーにより形成されたバーブロック、並びに、水平方向に伸びる上部レール、及び、上部レールと上下方向に一定の間隔をあけて並設された下部レールとからなるガイド装置を備えて、
バーブロックの上部にローラ装置を配して上部レールに吊り掛けるとともに、バーブロックの下端を下部レールに当接させて、バーブロックがガイド装置に沿って移動できるように支持し、バーブロックをガイド装置に沿って所定の位置まで移動させて複数個並べて配したバースクリーン装置。
【請求項２】
前記バーブロックの下端を下部レールに固定した請求項１記載のバースクリーン装置。
【請求項３】
暗渠になった水路内を流れる水を除塵するために使用するバースクリーン装置の組み立て方法であって、
水平方向に伸びる上部レール及び下部レールを上下方向に一定の間隔をあけて並設してガイド装置を形成し、
複数本のスクリーンバーにより形成されたバーブロックの上部にローラ装置を取り付けて、水路の開口部から水路内に搬入してガイド装置に配し、
バーブロックの上部を上部レールに吊り掛けるとともに下端を下部レールに当接させた状態として、ガイド装置に沿って移動させ、
ガイド装置の所定の位置で、バーブロックの下端と下部レールを固定して、バーブロックを複数個並べて配することによりスクリーンを形成するバースクリーン装置の組み立て方法。
【発明の詳細な説明】
【技術分野】
【０００１】
本発明は、主に暗渠になった水路内を流れる水を除塵するために使用するバースクリーン装置及びバースクリーン装置の組み立て方法に関する。
【背景技術】
【０００２】
工業用に使用される水の中に浮遊するごみは、しばしば設備トラブルの問題を引き起こす。特に発電用に使用される水は、浮遊するごみが深刻な問題に直結する可能性もあって、清浄な状態が求められており、その要求基準は極めて高いものである。
【０００３】
一方、農業用に使用される水の中に浮遊するごみも作物に被害をもたらす可能性があって看過できないケースが多い。また、排水の中を浮遊するごみは環境汚染につながる可能性もある。それらの理由から、水の中に浮遊するごみを取り除く手段として、従来から様々な装置が提案されている。
【０００４】
ここで、水の中を浮遊するごみを取り除く装置として、バースクリーン装置と呼ばれる除塵装置が周知である。バースクリーン装置は、スクリーンバーと呼ばれるバーを複数本並べて配した装置であり、簡便な構造で水の中に浮遊するごみを効果的に取り除くことができる。
【０００５】
バースクリーン装置で使用されるスクリーンバーの並べ方は種々である。一般的に、スクリーンバーを一定間隔のピッチで縦又は横、或いは格子状に並べて組んでスクリーン状にするケースが多い。特許文献１にバースクリーン装置の製造方法の１例が開示されている。
【先行技術文献】
【特許文献】
【０００６】
【特許文献１】特開平２−１７４９０５号公報
【発明の概要】
【発明が解決しようとする課題】
【０００７】
水路内に設置されるバースクリーン装置のスクリーンバーは、一般的に、金属性のフラットバーなどで形成される。したがって、バースクリーン装置は重量物となり、設置には大型の重機が必要となる。
【０００８】
暗渠になった水路にバースクリーン装置を設置する場合は、通常、暗渠の外から大型の重機を使用して吊り下げて設置する必要がある。そのため、暗渠を形成する水路の天井には、大きな開口部が設けられて解放されている必要がある。
【０００９】
バースクリーン装置のスクリーンは、通常、水路の幅方向の長さにわたり架け渡されるから相当の大きさとなる。必然的にバースクリーン装置を搬入するための開口部も相当の大きさが要求される。
【００１０】
なお、水路の幅が大きくバースクリーン装置のスクリーン寸法が極端に大きくなる場合には、輸送制限等もあって、スクリーンが複数枚のパネル化されるケースもある。
しかし、通常は、複数枚にパネル化されたスクリーンであっても相当の大きさがあり、重量も大きい。スクリーンを所定の場所に設置するためには、大型の重機等を使用して吊り下げて所定の位置まで移動させる必要がある。したがって、前述の開口部は水路の幅方向にわたって必要とされる。
【００１１】
バースクリーン装置の設置を予定せずに設計された暗渠の水路においては、水路の天井に大型の重機を使用して設置するために十分な開口部が設けられておらず、結果、バースクリーン装置を新たに設置することが難しい状況にある。
【００１２】
本発明は、以上、説明した問題点に鑑みてなされたものであり、大型の重機を使用してバースクリーン装置を設置するために必要な大きさの開口部が設けられない水路において、バースクリーン装置を設置するに好適な技術を提供することを目的とする。
【課題を解決するための手段】
【００１３】
上記の目的を達成するため、本発明によるバースクリーン装置は、
（１）暗渠になった水路内を流れる水を除塵するために使用するバースクリーン装置であって、間隔をあけて並べられた上下方向に伸びる複数本のスクリーンバーにより形成されたバーブロック、並びに、水平方向に伸びる上部レール、及び、上部レールと上下方向に一定の間隔をあけて並設された下部レールとからなるガイド装置を備えて、バーブロックの上部にローラ装置を配して上部レールに吊り掛けるとともに、バーブロックの下端を下部レールに当接させて、バーブロックがガイド装置に沿って移動できるように支持し、バーブロックをガイド装置に沿って所定の位置まで移動させて複数個並べて配した。
【００１４】
（２）（１）に記載のバースクリーン装置であって、前記バーブロックの下端を下部レールに固定した。
【００１５】
（３）本発明によるバースクリーン装置の組み立て方法は、
暗渠になった水路内を流れる水を除塵するために使用するバースクリーン装置の組み立て方法であって、水平方向に伸びる上部レール及び下部レールを上下方向に一定の間隔をあけて並設してガイド装置を形成し、複数本のスクリーンバーにより形成されたバーブロックの上部にローラ装置を取り付けて、水路の開口部から水路内に搬入してガイド装置に配し、バーブロックの上部を上部レールに吊り掛けるとともに下端を下部レールに当接させた状態として、ガイド装置に沿って移動させ、ガイド装置の所定の位置で、バーブロックの下端と下部レールを固定して、バーブロックを複数個並べて配することによりスクリーンを形成する。
【発明の効果】
【００１６】
本発明のバースクリーン装置又バースクリーン装置の組み立て方法によれば、天井に大型の重機を使用してバースクリーン装置を設置するために必要十分な開口部が設けられていない水路においても、バースクリーン装置を新たに設置することができる。
【図面の簡単な説明】
【００１７】
【図１】本発明の実施形態に係わりバースクリーン装置に使用したバーブロックの構成を説明する図である。
【図２】本発明の実施形態に係りバースクリーン装置の設置例を説明する図である。
【図３】本発明の実施形態に係りバースクリーン装置に使用したバーブロックの並べ方手順を説明する図である。
【図４】本発明の実施形態に係りバースクリーン装置に使用したバーブロックの取り付け方法を説明する図である。
【図５】本発明の実施形態に係りバースクリーン装置に使用したバーブロックの固定方法等を説明する図である。
【図６】本発明による他の実施形態に係りバースクリーン装置の構成を説明する図である。
【発明を実施するための形態】
【００１８】
以下、図面等に基づき本発明の好ましい実施形態の例を詳細に説明する。
図１から図６は本発明の実施形態を説明するための図に係わり、その好ましい例を示したものであって、図１はバースクリーン装置に使用したバーブロックの構成を説明する図であり（１）が正面から観察した図であり（２）が側面から観察した図である。図２はバースクリーン装置の設置例を説明する図である。図３はバースクリーン装置に使用したバーブロックの並べ方手順を説明する図である。図４はバースクリーン装置に使用したバーブロックの取り付け方法を説明する図である。図５はバースクリーン装置に使用したバーブロックの固定方法等を説明する図である。図６は他の実施形態に係りバースクリーン装置の構成を説明する図である。
【００１９】
本発明の実施形態（第１実施形態と称することもある）に使用したバーブロック３の構成を図１に示す。本実施形態によるバーブロック３は、複数本のスクリーンバー３Ａを一定間隔のピッチで水平方向に連結し一体化したものであり、上部にローラ装置５を配しているとともに、下部には、後述する下部レール１３に固定するための固定板３Ｃが取り付けられている
【００２０】
なお、本実施形態においては図１（１）に示すように金属製のフラットバーで形成された４本のスクリーンバー３Ａを、スクリーンバー３Ａの長手方向に対して直交する方向に伸びる連結具を上下２箇所に使用することにより、一定間隔のピッチで水平方向に連結して一体化させた。
【００２１】
バーブロック３の上部に配したローラ装置５のローラ５Ａは、その一方側がバーブロック３に対して軸支されており、他方側が側面に突出した構造となっている。
そして、ローラ５Ａの突出した部分のローラ径が段付きとなって、後述する上部レール１１に嵌め合わさって回転する構造となっている。
【００２２】
ここで、上部レール１１と下部レール１３は、水路の伸在する方向、即ち、水路の水流が流れる方向に対して直交し、水平方向に伸びている。そして、上部レール１１と下部レール１３は、図３（１）に示すように、上下方向に一定の間隔をあけて並設される。
本実施形態においては、上部レール１１と下部レール１３により、バーブロック３が水平方向に移動する際のガイド装置１０を形成する。
なお、本実施形態においては、上部レール１１は図示しないアンカーボルトにより水路壁５２に固定されており、下部レール１３は図示しないアンカーボルトにより水路底５３に固定されている。
【００２３】
上部レール１１及び下部レール１３の構成を図１又図３に示す。
上部レール１１は、図１（２）に断面を示すように先端が上方に曲がったフック（鉤）型になっており、先端の曲がった部分が、前述したローラ５Ａの段付き部分に嵌め合わさる形状になっている。
【００２４】
そして、図４（１）から図４（３）に示すように、バーブロック３を上部レール１１に対して上方から徐々に近接させて、ローラ５Ａを上部レール１１に嵌め合せて吊り掛けることにより、ローラ５Ａが上部レール１１上で転動できるように構成する。
なお、本実施形態においては、フック型の上部レール１１を、ローラ５Ａの段付き部に嵌め合せて吊り掛けているので、ローラ５Ａと上部レール１１を、一旦、嵌め合せた後は、水平方向への移動で外れることがない。
【００２５】
一方、下部レール１３は断面がＬ字型になっており、水路底５３に固定されている。ローラ５Ａを上部レール１１に嵌め合せて吊り掛けた際において、上部レール１１に対して上下方向に一定の間隔をあけて並設されている下部レール１３は、バーブロック３が滑りながら移動できるガイドになる。即ち、本実施形態においては、バーブロック３の上部にローラ装置５を配して上部レール１１に吊り掛けるとともに、バーブロック３の下端を下部レール１３に当接させて、バーブロック３がガイド装置１０に沿って所定の位置までスライドして移動できるように支持する。
【００２６】
組立方法は、後述するが、本実施形態においては、図３（１）から図３（３）に示すように、前述したガイド装置１０に対して、複数個のバーブロック３を並べて配してスクリーンを形成することによって、バースクリーン装置１を組み立て設置する。
【００２７】
以下、大型の重機を使用することが難しい小さな開口部しか有しない暗渠の水路にバースクリーン装置１を設置する際の方法について詳細に説明する。
【００２８】
バースクリーン装置１の設置前の準備作業として、水路内のバースクリーン設置箇所について、水を排水しドライアップする。
水路内がドライアップされた後、続いて水路内を清掃し、足場を組み立て、該当箇所の寸法を測定する。なお、必要に応じて、上部レール１１又下部レール１３を設置する箇所に、適宜、墨打ち作業等をする。
【００２９】
準備が完了後、水路天井５４に形成されている小さな開口部から、上部レール１１及び下部レール１３を水路内に搬入して、所定の箇所に設置する。
この際において、上部レール１１は、その長さを分割して短くして開口部から搬入し、図示しないアンカーボルトを使用して、水路壁５２に固定することにより一本の長いレールとする。
【００３０】
同様に、下部レール１３も、その長さを分割して短くして開口部から搬入し、図示しないアンカーボルトを使用して、水路底５３に固定することにより一本の長いレールとする。上部レール１１と下部レール１３の設置の状況を図２又図３に示す。本実施形態においては、上部レール１１と下部レール１３によりガイド装置１０を形成する。
【００３１】
ここで、予め組み立てたバーブロック３を開口部から水路内に搬入する。バーブロック３は従来の大きなスクリーンではないので、小さな開口部からでも容易に搬入できる。
なお、本実施形態においては、バーブロック３の大きさを勘案して、１つのバーブロック３の重量を４０Ｋｇ程度とし、大型の重機を使用しなくても水路内に搬入できる重量とした。
【００３２】
水路内では、バーブロック３の上端を上部レール１１に近づけながら、下端を下部レール１３に近づける。そして、バーブロック３のローラ装置５を上部レール１１に嵌め合せて吊り掛けて取り付ける。取り付けの状況を図４（１）から図４（３）に示す。バーブロック３を上方から上部レール１１に近づけることにより、ローラ装置５のローラ５Ａを上部レール１１に嵌め合せる。ローラ５Ａと上部レール１１が嵌め合わされることにより、ローラ５Ａが上部レール１１上で転動できるようになるとともに、バーブロック３の下部が下部レール１３に当接した状態となる。
【００３３】
ローラ５Ａが上部レール１１に嵌め合わされることにより、バーブロック３が上部レール１１に吊り掛けられた状態となり、バーブロック３の下部が下部レール１３に当接した状態を図５（１）に示す。バーブロック３を水平方向に押すと、ローラ装置５のローラ５Ａが上部レール１１上で転動して回転するとともに、バーブロック３の下部が下部レール１３に当接した状態で滑ることにより、水平方向にスライドして移動する。
即ち、本実施形態においては、水路内の固定金物をガイドとして、バーブロック３をガイドに合わせてスライドさせることにより所定の設置箇所へ配置することができる。
【００３４】
上部レール１１及び下部レール１３により形成したガイド装置１０に対して、バーブロック３を取り付けて、水平方向にスライドさせて移動させる際の状況を図３（１）に示す。なお、幅寸法の小さなバーブロック３は、小さな開口部からでも水路内に搬入することが可能であり、一旦、ガイド装置１０に取り付ければ、前述したように、水平方向への移動設置が極めて容易である。
【００３５】
そして、複数のバーブロック３を水路内に搬入し、ガイド装置１０により水平方向に移動させて所定の位置に配置するという手順を繰り返すことにより、図３（１）から図３（３）に示すような作業を行い、水路内に伸びる大きなスクリーンを形成することにより、バースクリーン装置１を組み立て設置する。
【００３６】
なお、この際、ガイド装置１０において、それぞれ所定の位置に配されたバーブロック３は、下部にある固定板３Ｃを利用して、下部レール１３に対して固定ボルト３Ｂにより固定される。固定時の状況を図５（２）に示す。
【００３７】
前述の手順によりバースクリーン装置１が形成された後、各箇所を点検する。点検後は、足場の撤去片付けなどの作業を実施し、張水して、バースクリーン装置１の設置作業完了とする。
【００３８】
バースクリーン装置１の設置後は、図２に示すように、水路内を流れる水流Ｗに対して、バースクリーン装置１が除塵装置としての機能し、作用効果を奏する。
【００３９】
水路に設置されるバースクリーン装置１のスクリーンバー３Ａは、通常、金属の棒やフラットバーなどで形成されるから重量物となる。したがって、前述したように、バースクリーン装置１の設置には大型の重機が必要となり、結果、水路の天井には、水路の幅方向に渡る大きな開口部が設けられて上部が解放された構造となる。
【００４０】
本実施形態においては、バーブロック３とガイド装置１０を利用することにより、小さな開口部からでも、バースクリーン装置１を容易に設置することが可能になる。
【００４１】
前述したように、本実施形態においては、図３（１）に示すように、上部レール１１及び下部レール１３により形成したガイド装置１０に対して、バーブロック３を取り付けて、水平方向にスライドさせることにより、所定の位置まで移動させる。なお、幅寸法の小さなバーブロック３は、小さな開口部からでも水路内に搬入することが可能であり、一旦、ガイド装置１０に取り付ければ、水平方向への移動は、大型の重機など使用しなくても容易である。
【００４２】
本実施形態においては、バーブロック３の大きさを勘案して、大型の重機を使用しなくても水路内に搬入できる重量とした。そして、ガイド装置１０に取り付けたバーブロック３を、それぞれ人力等を利用してスライドさせて所定の位置に取り付けた。
【００４３】
なお、本発明に適応できるバーブロック３並びにガイド装置１０の配置は、本実施形態に限定されるものではなく、本発明の技術思想を逸脱しない範囲内において変更が可能であり、例えば、図６に示すように、水路の形状に合わせて、ガイド装置１０とバーブロック３の配置を変更しても良い。
【産業上の利用可能性】
【００４４】
従来、バースクリーン装置の採用を断念していた天井に大きな開口部が設けられない水路において、バースクリーン装置を設置する際に特に有効に利用可能な技術である。
【符号の説明】
【００４５】
１        バースクリーン装置      
３        バーブロック
３Ａ      スクリーンバー
３Ｂ      固定ボルト
３Ｃ      固定板
５        ローラ装置
５Ａ      ローラ
１０      ガイド装置
１１      上部レール
１３      下部レール
５０      水路
５２      水路壁
５３      水路底
５４      水路天井
【図１】
0006642110.tif 000002
【図２】
0006642110.tif 000003
【図３】
0006642110.tif 000004
【図４】
0006642110.tif 000005
【図５】
0006642110.tif 000006
【図６】
0006642110.tif 000007